(57)【要約】【課題】本発明は、伸長状態で、安全で、寝心地の良いベッドとして使用可能であり、収縮状態で、ソファとして使用可能な、伸縮式ソファベッドを提供することを目的とする。【解決手段】本発明の伸縮式ソファベッド１は、第１枠体２と、第１枠体２に対して引き出し／押し入れ自在に構成される第２枠体３と、第２枠体３に対して引き出し／押し入れ自在に構成される第３枠体４とを備え、第１枠体２および第２枠体３のそれぞれが、第２枠体３および第３枠体４のそれぞれと略同一の幅を有し、第１枠体２および第２枠体３のそれぞれの上で、第２枠体３および第３枠体４のそれぞれを引き出し／押し入れ自在に支持するように構成されることを特徴とする。【選択図】図１
2019072089.tif 000002
【特許請求の範囲】
【請求項１】
第１枠体と、
前記第１枠体に対して略水平方向に沿って引き出し／押し入れ自在に構成される第２枠体と、
前記第２枠体に対して略水平方向に沿って引き出し／押し入れ自在に構成される第３枠体とを備え、
前記第１枠体および前記第２枠体のそれぞれに対して、前記第２枠体および前記第３枠体のそれぞれを引き出し／押し入れすることで、伸縮自在に構成される伸縮式ソファベッドであって、
前記第１枠体および前記第２枠体のそれぞれが、前記第２枠体および前記第３枠体のそれぞれと略同一の幅を有し、前記第１枠体および前記第２枠体のそれぞれの上で、前記第２枠体および前記第３枠体のそれぞれを引き出し／押し入れ自在に支持するように構成され、
前記第１枠体および前記第２枠体がそれぞれ、略鉛直方向の上方に向かって開口する第１開口部および第２開口部のそれぞれを有し、
前記伸縮式ソファベッドが、伸長状態において前記第１枠体の前記第１開口部および前記第２枠体の前記第２開口部のそれぞれを閉鎖するために着脱自在な第１天板および第２天板のそれぞれと、前記第３枠体の上に設置可能な第３天板とを備え、
前記伸縮式ソファベッドが、
伸長状態において、前記第１天板、前記第２天板および前記第３天板が略平坦な略水平面を形成するように配置されて、ベッドとして使用可能であり、
収縮状態において、前記第３天板が略平坦な略水平面を形成するように配置されて、ソファとして使用可能である
ことを特徴とする伸縮式ソファベッド。
【請求項２】
前記伸縮式ソファベッドは、前記第２枠体に対する前記第３枠体の引き出し／押し入れの操作に連動して、前記第１枠体に対して前記第２枠体が引き出し／押し入れされるように構成され、
前記第２枠体に対する前記第３枠体の引き出し／押し入れの操作だけで、前記伸縮式ソファベッドの伸縮操作を行なうことができる
ことを特徴とする請求項１記載の伸縮式ソファベッド。
【請求項３】
前記第１枠体が、前記第２枠体が略水平方向に沿って摺接する第１摺接部を備え、前記第１摺接部が、前記第２枠体が引き出されたときに、前記第１天板を支持するように構成され、
前記第２枠体が、前記第３枠体が略水平方向に沿って摺接する第２摺接部を備え、前記第２摺接部が、前記第３枠体が引き出されたときに、前記第２天板を支持するように構成され、
前記第１天板および前記第２天板がそれぞれ、前記第１摺接部および前記第２摺接部のそれぞれに支持されることで、前記第２枠体および前記第３枠体のそれぞれの押し入れが規制される
ことを特徴とする請求項１または２記載の伸縮式ソファベッド。
【請求項４】
前記第２枠体および前記第３枠体がそれぞれ、前記第１枠体および前記第２枠体のそれぞれに対する引き出しを規制するために、前記第１枠体および前記第２枠体のそれぞれと係合する第２係合部および第３係合部のそれぞれを備え、
前記第１天板および前記第２天板がそれぞれ、前記第１摺接部および前記第２摺接部のそれぞれに支持されて、前記第２枠体および前記第３枠体のそれぞれの押し入れが規制され、
前記第２係合部および前記第３係合部がそれぞれ、前記第１枠体および前記第２枠体のそれぞれと係合して、前記第２枠体および前記第３枠体のそれぞれの引き出しが規制されることで、
前記伸縮式ソファベッドの伸長状態が維持される
ことを特徴とする請求項３記載の伸縮式ソファベッド。
【請求項５】
前記第１枠体が、前記第１開口部を介して、または前記第１開口部および前記第２開口部を介して取り出し可能なように、前記第１天板および／または前記第２天板を分割して、または折り畳んで収納可能な内部空間を備えることを特徴とする請求項１〜４のいずれか１項に記載の伸縮式ソファベッド。
【請求項６】
前記第１天板および／または前記第２天板が、奇数の簀子板を備える簀子状に形成される
ことを特徴とする請求項１〜５のいずれか１項に記載の伸縮式ソファベッド。
【請求項７】
前記伸縮式ソファベッドが、前記第３枠体に対して略水平方向に沿って引き出し／押し入れ自在に構成される第４枠体をさらに備え、
前記第３枠体が、前記第４枠体と略同一の幅を有し、前記第３枠体の上で、前記第４枠体を引き出し／押し入れ自在に支持するように構成され、
前記第３枠体が、略鉛直方向の上方に向かって開口する第３開口部を有し、
前記第３天板が、前記伸縮式ソファベッドの伸長状態で前記第３開口部を閉鎖するために、着脱自在に構成され、
前記伸縮式ソファベッドはさらに、収縮状態および伸長状態において前記第４枠体の上に設置可能な第４天板を備え、
前記伸縮式ソファベッドが、
伸長状態において、前記第１天板、前記第２天板、前記第３天板および前記第４天板が略平坦な略水平面を形成するように配置されて、ベッドとして使用可能であり、
収縮状態において、前記第４天板が略平坦な略水平面を形成するように配置されて、ソファとして使用可能である
ことを特徴とする請求項１〜６のいずれか１項に記載の伸縮式ソファベッド。
【発明の詳細な説明】
【技術分野】
【０００１】
本発明は、伸縮式ソファベッドに関する。
【背景技術】
【０００２】
長手方向に伸縮自在なベッドとして、たとえば特許文献１には、互いに対してスライド可能な前床と後床とを有する伸縮収納ベッドが開示されている。特許文献１の伸縮収納ベッドは、伸長状態とすることで、ベッドとして使用可能であり、収縮状態とすることで、適度にコンパクトに収納できる。しかし、特許文献１の伸縮収納ベッドは、長手方向で半分の長さにしか収縮させることができないので、その収縮状態において、適度にコンパクトに収納できても、長すぎるために椅子（ソファ）としての使用に適さない。
【０００３】
一方、特許文献２には、上述した特許文献１の伸縮収納ベッドの問題を解決するために、長手方向で１／３の長さに収縮可能なベッドが開示されている。特許文献２のベッドは、第１単体と、第１単体の内部に嵌合可能な第２単体と、第２単体の内部に嵌合可能な第３単体とを備え、長手方向で伸縮可能に構成されている。特許文献２のベッドは、第２単体および第３単体がそれぞれ、第１単体および第２単体のそれぞれから引き出されて伸長状態とされて、ベッドとして使用可能であるとともに、第２単体および第３単体がそれぞれ、第１単体および第２単体のそれぞれに押し入れられて収縮状態とされて、コンパクトに片付けられるとともに、椅子（ソファ）としても利用できる可能性がある。
【先行技術文献】
【特許文献】
【０００４】
【特許文献１】実用新案登録第３１４５６８６号公報
【特許文献２】実公昭５９−３８９２５号公報
【発明の概要】
【発明が解決しようとする課題】
【０００５】
ところが、特許文献２のベッドでは、第２単体および第３単体がそれぞれ、第１単体および第２単体のそれぞれの内部に全体が収容可能な大きさに形成されているので、第１単体および第２単体のそれぞれから引き出されたときに、第１単体、第２単体および第３単体のそれぞれの間に高さ方向および幅方向の段差が生じてしまう。高さ方向の段差は、使用者の心地良い就寝を妨げ、また、幅方向の段差は、使用者の身体の一部や衣服を引っ掛けてしまう危険性を生じさせる。
【０００６】
本発明は、上記問題に鑑みなされたもので、伸長状態で、従来のベッドと比べて、安全で、寝心地の良いベッドとして使用可能であり、収縮状態で、ソファとして使用可能な、伸縮式ソファベッドを提供することを目的とする。
【課題を解決するための手段】
【０００７】
本発明の伸縮式ソファベッドは、第１枠体と、前記第１枠体に対して略水平方向に沿って引き出し／押し入れ自在に構成される第２枠体と、前記第２枠体に対して略水平方向に沿って引き出し／押し入れ自在に構成される第３枠体とを備え、前記第１枠体および前記第２枠体のそれぞれに対して、前記第２枠体および前記第３枠体のそれぞれを引き出し／押し入れすることで、伸縮自在に構成される伸縮式ソファベッドであって、前記第１枠体および前記第２枠体のそれぞれが、前記第２枠体および前記第３枠体のそれぞれと略同一の幅を有し、前記第１枠体および前記第２枠体のそれぞれの上で、前記第２枠体および前記第３枠体のそれぞれを引き出し／押し入れ自在に支持するように構成され、前記第１枠体および前記第２枠体がそれぞれ、略鉛直方向の上方に向かって開口する第１開口部および第２開口部のそれぞれを有し、前記伸縮式ソファベッドが、伸長状態において前記第１枠体の前記第１開口部および前記第２枠体の前記第２開口部のそれぞれを閉鎖するために着脱自在な第１天板および第２天板のそれぞれと、前記第３枠体の上に設置可能な第３天板とを備え、前記伸縮式ソファベッドが、伸長状態において、前記第１天板、前記第２天板および前記第３天板が略平坦な略水平面を形成するように配置されて、ベッドとして使用可能であり、収縮状態において、前記第３天板が略平坦な略水平面を形成するように配置されて、ソファとして使用可能であることを特徴とする。
【０００８】
また、前記伸縮式ソファベッドは、前記第２枠体に対する前記第３枠体の引き出し／押し入れの操作に連動して、前記第１枠体に対して前記第２枠体が引き出し／押し入れされるように構成され、前記第２枠体に対する前記第３枠体の引き出し／押し入れの操作だけで、前記伸縮式ソファベッドの伸縮操作を行なうことができることが好ましい。
【０００９】
また、前記第１枠体が、前記第２枠体が略水平方向に沿って摺接する第１摺接部を備え、前記第１摺接部が、前記第２枠体が引き出されたときに、前記第１天板を支持するように構成され、前記第２枠体が、前記第３枠体が略水平方向に沿って摺接する第２摺接部を備え、前記第２摺接部が、前記第３枠体が引き出されたときに、前記第２天板を支持するように構成され、前記第１天板および前記第２天板がそれぞれ、前記第１摺接部および前記第２摺接部のそれぞれに支持されることで、前記第２枠体および前記第３枠体のそれぞれの押し入れが規制されることが好ましい。
【００１０】
また、前記第２枠体および前記第３枠体がそれぞれ、前記第１枠体および前記第２枠体のそれぞれに対する引き出しを規制するために、前記第１枠体および前記第２枠体のそれぞれと係合する第２係合部および第３係合部のそれぞれを備え、前記第１天板および前記第２天板がそれぞれ、前記第１摺接部および前記第２摺接部のそれぞれに支持されて、前記第２枠体および前記第３枠体のそれぞれの押し入れが規制され、前記第２係合部および前記第３係合部がそれぞれ、前記第１枠体および前記第２枠体のそれぞれと係合して、前記第２枠体および前記第３枠体のそれぞれの引き出しが規制されることで、前記伸縮式ソファベッドの伸長状態が維持されることが好ましい。
【００１１】
また、前記第１枠体が、前記第１開口部を介して、または前記第１開口部および前記第２開口部を介して取り出し可能なように、前記第１天板および／または前記第２天板を分割して、または折り畳んで収納可能な内部空間を備えることが好ましい。
【００１２】
また、前記第１天板および／または前記第２天板が、奇数の簀子板を備える簀子状に形成されることが好ましい。
【００１３】
また、前記伸縮式ソファベッドが、前記第３枠体に対して略水平方向に沿って引き出し／押し入れ自在に構成される第４枠体をさらに備え、前記第３枠体が、前記第４枠体と略同一の幅を有し、前記第３枠体の上で、前記第４枠体を引き出し／押し入れ自在に支持するように構成され、前記第３枠体が、略鉛直方向の上方に向かって開口する第３開口部を有し、前記第３天板が、前記伸縮式ソファベッドの伸長状態で前記第３開口部を閉鎖するために、着脱自在に構成され、前記伸縮式ソファベッドはさらに、収縮状態および伸長状態において前記第４枠体の上に設置可能な第４天板を備え、前記伸縮式ソファベッドが、伸長状態において、前記第１天板、前記第２天板、前記第３天板および前記第４天板が略平坦な略水平面を形成するように配置されて、ベッドとして使用可能であり、収縮状態において、前記第４天板が略平坦な略水平面を形成するように配置されて、ソファとして使用可能であることが好ましい。
【発明の効果】
【００１４】
本発明によれば、伸長状態で、従来のベッドと比べて、安全で、寝心地の良いベッドとして使用可能であり、収縮状態で、ソファとして使用可能な、伸縮式ソファベッドを提供することができる。
【図面の簡単な説明】
【００１５】
【図１】本発明の一実施形態の伸縮式ソファベッドの伸長状態を示す斜視図である。
【図２】図１の伸縮式ソファベッドの収縮状態を示す斜視図である。
【図３】図１の伸縮式ソファベッドの伸長状態を示し、天板の図示を省略した斜視図である。
【図４】図１の伸縮式ソファベッドの側面図であり、（ａ）は伸長状態を示し、（ｂ）は伸長状態から収縮状態へ移行する間の中間状態を示し、（ｃ）は収縮状態を示す。
【図５】図１の伸縮式ソファベッドの側面図であり、（ａ）は収縮状態を示し、（ｂ）は収縮状態から伸長状態へ移行する間の中間状態を示し、（ｃ）は伸長状態を示す。
【発明を実施するための形態】
【００１６】
以下、添付図面を参照して、本発明の一実施形態に係る伸縮式ソファベッドを説明する。ただし、以下の実施形態はあくまで一例であり、本発明の伸縮式ソファベッドは、以下の実施形態に限定されることはない。
【００１７】
本実施形態の伸縮式ソファベッド１は、図１および図２に示されるように、第１枠体２と、第１枠体２に対して略水平方向に沿って引き出し／押し入れ自在に構成される第２枠体３と、第２枠体３に対して略水平方向に沿って引き出し／押し入れ自在に構成される第３枠体４とを備えている。伸縮式ソファベッド１は、第１枠体２および第２枠体３のそれぞれに対して、第２枠体３および第３枠体４のそれぞれを引き出し／押し入れすることで、伸縮自在に構成されている。伸縮式ソファベッド１は、第１枠体２から第２枠体３が略水平方向に引き出され、第２枠体３から第３枠体４が略水平方向に引き出されることで、伸長状態（図１の状態）とされて、ベッドとして使用可能である。また、伸縮式ソファベッド１は、第１枠体２に第２枠体３が略水平方向に沿って押し入れられ、第２枠体３に第３枠体４が略水平方向に沿って押し入れられることで、収縮状態（図２の状態）とされて、ソファとして使用可能である。伸縮式ソファベッド１は、ベッドとしてもソファとしても使用可能であるので、必要に応じて使い分けることで設置スペースを節約することができる。ホテル、旅館、病院、アパート、マンションなどのスペースの制約の多い室内においては、伸縮式ソファベッド１を用いることで、室内空間を有効に活用することができる。
【００１８】
なお、本明細書において、「ベッド」という用語は、寝台や寝床として使用されるものを含む広い意味で用いられ、そのまま使用されるものだけでなく、マットや布団などを上に敷いて使用されるものも含む意味で用いられる。また、本明細書において「ソファ」という用語は、一般的に用いられる「ソファ」という用語の意味だけでなく、使用者が腰掛けるために用いられる椅子や腰掛け全般を含む意味で用いられる。
【００１９】
また、本明細書において、特に断らない限り、第１枠体２および第２枠体３のそれぞれに対して、第２枠体３および第３枠体４のそれぞれを引き出し／押し入れする方向を、「伸縮式ソファベッド１の伸縮方向Ｄ」（または、単に「伸縮方向Ｄ」）と称し、第２枠体３および第３枠体４が引き出される向きの側を「伸長側」、第２枠体３および第３枠体４が押し入れられる向きの側を「収縮側」と称することとする。なお、伸縮方向Ｄは、伸縮式ソファベッド１をベッドとして使用する際のベッドの長手方向と同じである。また、本明細書において、特に断らない限り、伸縮式ソファベッド１が略水平な床面に設置されていることを想定して、「水平方向」および「鉛直方向」の用語を用いることとする。また、第１枠体２および第２枠体３のそれぞれに対して、第２枠体３および第３枠体４のそれぞれを引き出し／押し入れするとは、第１枠体２および第２枠体３のそれぞれに対して、第２枠体３および第３枠体４のそれぞれを伸長側／収縮側に相対移動させることを意味する。
【００２０】
図１および図２を再度参照すると、第１枠体２および第２枠体３のそれぞれが、第２枠体３および第３枠体４のそれぞれと略同一の幅を有し、第１枠体２および第２枠体３のそれぞれの上で、第２枠体３および第３枠体４のそれぞれを引き出し／押し入れ自在に支持するように構成されている。伸縮式ソファベッド１は、このように、第１枠体２、第２枠体３および第３枠体４が互いに略同一の幅を有しているので、幅方向で段差が設けられた従来のベッドと比べて、使用者の身体の一部や衣服を引っ掛けてしまう危険性が軽減され、使用者が安全に使用することができる。
【００２１】
第１枠体２は、第２枠体３と略同一の幅を有し、第１枠体２の上で第２枠体３を引き出し／押し入れ自在に支持するように構成されていればよく、特に限定されることはないが、本実施形態では、図１に示されるように、第２枠体３が略水平方向に沿って摺接する第１摺接部２２、２２を備えており、第２枠体３は、第１摺接部２２、２２に摺接して、略水平方向に沿って引き出し／押し入れ自在に支持される。本実施形態では、後述する第２枠体３の第２上側枠部３３が、第１摺接部２２、２２に摺接して、第１摺接部２２、２２に支持される。また、第１摺接部２２、２２は、第２枠体３を伸縮方向Ｄに沿って案内する第１案内部２２ａ、２２ａを有している。第１案内部２２ａ、２２ａは、第２枠体３を伸縮方向Ｄに沿って案内することができれば、特に限定されることはないが、本実施形態では伸縮方向Ｄに沿って延びる溝状に形成されている。第２枠体３は、第２上側枠部３３の鉛直方向の下方に突出して、伸縮方向Ｄに沿って延びる第２係合部３５、３５（図３参照）が第１案内部２２ａ、２２ａに案内されることで、蛇行することなく伸縮方向Ｄに沿って案内される。
【００２２】
第１枠体２は、本実施形態では、図１および図３に示されるように、伸縮式ソファベッド１の伸縮方向Ｄに対して略平行に延びる一対の第１側壁２ａ、２ｂと、伸縮式ソファベッド１の伸縮方向Ｄに対して略垂直に延びる第１収縮側側壁２ｃおよび第１伸長側側壁２ｄとを備え、全体として略直方体形状に形成されている。一対の第１側壁２ａ、２ｂの上面には、上述した第１摺接部２２、２２が設けられており、この第１摺接部２２、２２と、第１収縮側側壁２ｃおよび第１伸長側側壁２ｄの上面とが略同一の高さを有している。また、第１枠体２は、略鉛直方向の上方に向かって開口する第１開口部２１を有しているが、この第１開口部２１は、一対の第１側壁２ａ、２ｂ、第１収縮側側壁２ｃおよび第１伸長側側壁２ｄによって画定される。さらに、第１枠体２には、一対の第１側壁２ａ、２ｂ、第１収縮側側壁２ｃおよび第１伸長側側壁２ｄの内側で、第１開口部２１の下方に、内部空間Ｓが形成されている。
【００２３】
第１枠体２は、本実施形態では、図１および図３に示されるように、第１収縮側側壁２ｃの収縮側に設けられた支持壁２３にヘッドボード８が設けられて、伸縮式ソファベッド１がベッドとして使用される際に、使用者の頭部側に位置するように配置される。ヘッドボード８は、伸縮式ソファベッド１をソファとして使用する際には背凭れとして機能する。ただし、ヘッドボード８が、第１枠体２ではなく第３枠体４の伸長側の端部に設けられ、第３枠体４が、伸縮式ソファベッド１をベッドとして使用する際に、使用者の頭部側に位置するように配置されてもよい。
【００２４】
第１枠体２は、伸縮式ソファベッド１をベッドおよびソファとして使用する際に、使用者を支持できる強度を有していれば、その材質は特に限定されることはなく、木材、樹脂、金属などの任意の材料を構成材料として採用することができる。また、第１枠体２は、第２枠体３や第３枠体４と同じ構成材料であってもよいし、第２枠体３や第３枠体４と異なる構成材料であってもよい。また、第１枠体２は、本実施形態では略直方体形状に形成されているが、少なくともその上面側において第２枠体３と略同一の幅を有していれば、本実施形態に限定されることはなく、たとえば伸縮方向Ｄに対して垂直な断面が略台形に形成されていてもよい。
【００２５】
伸縮式ソファベッド１は、図１に示されるように、伸長状態において、すなわち第１枠体２から第２枠体３が引き出されたときに、第１枠体２の第１開口部２１を閉鎖するために着脱自在な第１天板５を備えている。そして、第１枠体２の第１摺接部２２、２２は、第２枠体３が引き出されたときに、第１天板５を支持するように構成されている。したがって、第１天板５は、第１枠体２から第２枠体３が引き出されたときに、第１枠体２の第１摺接部２２、２２によって支持されて、第１開口部２１を閉鎖する。また、伸縮式ソファベッド１は、第１天板５が、第１摺接部２２、２２に支持されることで、引き出された第２枠体３の押し入れが規制されるように構成されている。より具体的には、第１天板５が第１摺接部２２、２２によって支持されているときに、第２枠体３が押し入れられると、第２枠体３の第２上側枠部３３が第１天板５の伸長側の端部に当接し、第１天板５の収縮側の端部が第１枠体２の支持壁２３（または第１収縮側側壁２ｃ）に当接するので、第２枠体３のそれ以上の押し入れが規制される。このように、第１天板５を第１摺接部２２、２２上に載置するだけで、第２枠体３の押し入れが規制されるので、第２枠体３の押し入れを規制するための他の部材が必要なく、伸縮式ソファベッド１の部品点数を減らすことができる。なお、第１枠体２は、任意で、第１天板５を第１摺接部２２、２２とともに支持するために、第１開口部２１の周縁に沿って、第１天板５を支持するための支持部（図示せず）を備えていてもよい。
【００２６】
第１天板５は、伸縮式ソファベッド１がベッドとして使用される際に、第１枠体２の第１開口部２１を閉鎖して、使用者の少なくとも一部を支持する。そして、第１天板５は、第１枠体２の第１摺接部２２、２２によって支持されたときに、後述する第２天板６および第３天板７とともに略平坦な略水平面を形成するように構成されている。第１天板５は、本実施形態では、図１に示されるように、略平坦な面を有し、略等間隔に配置され、互いに略同一の形状および重量を有する奇数（図示された例では７つ）の簀子板５１を備える簀子状に形成されている。第１天板５は、奇数の簀子板５１のうち中央の簀子板５１を把持することで、第１天板５をバランスよく持ち上げることができる。第１天板５は、簀子板５１の下面に、第１枠体２の第１摺接部２２、２２に接触する第１天板脚部５２と、第１枠体２の一対の第１側壁２ａ、２ｂ、第１収縮側側壁２ｃおよび第１伸長側側壁２ｄの内側端面と係合する第１天板係合部５３とを備えている。第１天板５は、第１天板係合部５３が第１枠体２の内側端面と係合することにより、水平方向への移動が規制され、水平方向にずれるのが抑制される。また、第１天板５は、後に詳しく述べるように、第１枠体２の内部空間Ｓに収納できるように、分割可能に形成されている（図示された例では、伸縮方向Ｄに対して垂直方向に２分割）。ただし、第１天板５は、第１開口部２１を閉鎖して、使用者の少なくとも一部を支持するとともに、第２天板６および第３天板７とともに略平坦な略水平面を形成するように構成されていれば、本実施形態に限定されることはなく、たとえば、折り畳み可能に形成されていてもよいし、１枚の連続した略平坦な板状に形成されていてもよい。また、第１天板５は、第１枠体２の第１開口部２１を閉鎖しながら、使用者の少なくとも一部を支持する強度を有していれば、その構成材料は特に限定されることはなく、木材、樹脂、金属などの任意の材料を構成材料として採用することができる。
【００２７】
第２枠体３は、第１枠体２および第３枠体４と略同一の幅を有し、第１枠体２の上で引き出し／押し入れ自在に支持され、第２枠体３上で第３枠体４を引き出し／押し入れ自在に支持するように構成されている。第２枠体３は、前記構成を有していれば、特に限定されることはないが、本実施形態では、図１および図３に示されるように、第１枠体２の第１摺接部２２、２２に摺接する第２上側枠部３３と、第２上側枠部３３の、第１枠体２から離間する側（伸長側）の端部に設けられる第２脚部３４とを備えている。略水平方向に延びる第２上側枠部３３と、第２上側枠部３３から略鉛直方向の下方に延びる第２脚部３４とは互いに、側面視で、略Ｌ字状に接続されている。第２上側枠部３３は、第１枠体２の第１摺接部２２、２２と第２脚部３４とによって支持される。第２枠体３の第２上側枠部３３は、第３枠体４が略水平方向に沿って摺接する第２摺接部３２、３２を備えている。第３枠体４は、この第２摺接部３２、３２に摺接して、略水平方向に沿って引き出し／押し入れ自在に第２摺接部３２、３２に支持される。本実施形態では、後述する第３枠体４の第３上側枠部４３が、第２摺接部３２、３２に摺接して、第２摺接部３２、３２に支持される。また、第２摺接部３２、３２は、第３枠体４を伸縮方向Ｄに沿って案内する第２案内部３２ａ、３２ａを有している。第２案内部３２ａ、３２ａは、第３枠体４を伸縮方向Ｄに沿って案内することができれば、特に限定されることはないが、本実施形態では伸縮方向Ｄに沿って延びる溝状に形成されている。第３枠体４は、第３上側枠部４３の鉛直方向の下方に突出して、伸縮方向Ｄに沿って延びる第３係合部４５、４５（図３参照）が第２案内部３２ａ、３２ａに案内されることで、蛇行することなく伸縮方向Ｄに沿って案内される。
【００２８】
第２枠体３の第２上側枠部３３は、本実施形態では、図１および図３に示されるように、伸縮式ソファベッド１の伸縮方向Ｄに対して略平行に延びる一対の第２側壁３３ａ、３３ｂと、伸縮式ソファベッド１の伸縮方向Ｄに対して略垂直に延びる第２収縮側側壁３３ｃおよび第２伸長側側壁３３ｄとを備えている。一対の第２側壁３３ａ、３３ｂの上面には、上述した第２摺接部３２、３２が設けられており、この第２摺接部３２、３２と、第２収縮側側壁３３ｃおよび第２伸長側側壁３３ｄの上面とが略同一の高さを有している。また、第２枠体３は、略鉛直方向の上方に向かって開口する第２開口部３１を有しているが、この第２開口部３１は、一対の第２側壁３３ａ、３３ｂ、第２収縮側側壁３３ｃおよび第２伸長側側壁３３ｄによって画定される。
【００２９】
第２枠体３は、伸縮式ソファベッド１をベッドおよびソファとして使用する際に、使用者を支持できる強度を有していれば、その材質は特に限定されることはなく、木材、樹脂、金属などの任意の材料を構成材料として採用することができる。また、第２枠体３は、第１枠体２や第３枠体４と同じ構成材料であってもよいし、第１枠体２や第３枠体４と異なる構成材料であってもよい。また、第２枠体３は、本実施形態では側面視で略Ｌ字状に形成されているが、第１枠体２に対して略水平方向に引き出し／押し入れ自在であり、第３枠体４を略水平方向に沿って引き出し／押し入れ自在に支持することができれば、本実施形態に限定されることはなく、たとえば、第２上側枠部３３と第２脚部３４とのなす角度が９０°と異なる角度であってもよい。
【００３０】
伸縮式ソファベッド１は、図１に示されるように、伸長状態において、つまり第３枠体４が第２枠体３から引き出されたときに、第２枠体３の第２開口部３１を閉鎖するために着脱自在な第２天板６を備えている。そして、第２枠体３の第２摺接部３２、３２は、第３枠体４が引き出されたときに、第２天板６を支持するように構成されている。したがって、第２天板６は、第２枠体３から第３枠体４が引き出されたときに、第２枠体３の第２摺接部３２、３２によって支持されて、第２開口部３１を閉鎖する。伸縮式ソファベッド１は、第２天板６が、第２摺接部３２、３２に支持されることで、引き出された第３枠体４の押し入れが規制されるように構成されている。より具体的には、第２天板６が第２摺接部３２、３２によって支持されているときに、第３枠体４が押し入れられると、第３枠体４の第３上側枠部４３が第２天板６の伸長側の端部に当接し、第２天板６の収縮側の端部が第１天板５（または第２枠体３の第２収縮側側壁３３ｃ）に当接するので、第３枠体４のそれ以上の押し入れが規制される。このように、第２天板６を第２摺接部３２、３２上に載置するだけで、第３枠体４の押し入れが規制されるので、第３枠体４の押し入れを規制するための他の部材が必要なく、伸縮式ソファベッド１の部品点数を減らすことができる。なお、第２枠体３は、任意で、第２天板６を第２摺接部３２、３２とともに支持するために、第２開口部３１の周縁に沿って、第２天板６を支持するための支持部（図示せず）を備えていてもよい。
【００３１】
第２天板６は、伸縮式ソファベッド１がベッドとして使用される際に、第２枠体３の第２開口部３１を閉鎖して、使用者の少なくとも一部を支持する。そして、第２天板６は、第２枠体３の第２摺接部３２、３２によって支持されたときに、第１天板５および第３天板７とともに略平坦な略水平面を形成するように構成されている。第２天板６は、本実施形態では、図１に示されるように、略平坦な面を有し、等間隔で配置され、互いに略同一の形状および重量を有する奇数（図示された例では７つ）の簀子板６１を備える簀子状に形成されている。第２天板６は、奇数の簀子板６１のうち中央の簀子板６１を把持することで、第２天板６をバランスよく持ち上げることができる。第２天板６は、簀子板６１の下面に、第２枠体３の第２摺接部３２、３２に接触する第２天板脚部６２と、第２枠体３の第２上側枠部３３の内側端面と係合する第２天板係合部（図示せず）とを備えている。第２天板６は、第２天板係合部が第２枠体３の内側端面と係合することにより、水平方向への移動が規制され、水平方向にずれるのが抑制される。また、第２天板６は、後に詳しく述べるように、第１枠体２の内部空間Ｓに収納できるように、分割可能に形成されている（図示された例では、伸縮方向Ｄに対して垂直方向に２分割）。ただし、第２天板６は、第２開口部３１を閉鎖して、使用者の少なくとも一部を支持するとともに、第１天板５および第３天板７とともに略平坦な略水平面を形成するように構成されていれば、本実施形態に限定されることはなく、たとえば、折り畳み可能に形成されていてもよいし、１枚の連続した略平坦な板状に形成されていてもよい。また、第２天板６は、第２枠体３の第２開口部３１を閉鎖しながら、使用者の少なくとも一部を支持する強度を有していれば、その構成材料は特に限定されることはなく、木材、樹脂、金属などの任意の材料を構成材料として採用することができる。
【００３２】
また、第２枠体３は、図３に示されるように、第１枠体２に対する引き出しを規制するために、第１枠体２と係合する第２係合部３５、３５を備えている。第２係合部３５、３５は、第２枠体３の鉛直方向の下方に突出して、伸縮方向Ｄに沿って延びるように設けられ、第２枠体３が引き出されたときに、第１枠体２（本実施形態では、第１案内部２２ａ、２２ａの伸長側端部）に当接するように構成されている。第２枠体３は、第１枠体２の第１開口部２１が第１天板５（図１参照）に対応する大きさとなる位置において、第２枠体３の第２係合部３５、３５が第１枠体２に当接して、引き出しが規制されるように構成される。したがって、第１枠体２の第１開口部２１を第１天板５によって閉鎖する際に、第１開口部２１が第１天板５に対応する大きさとなる位置に第２枠体３を容易に位置合わせすることができる。そして、第１天板５が、第１摺接部２２、２２に支持されて、第２枠体３の押し入れが規制され、第２係合部３５、３５が、第１枠体２と係合して、第２枠体３の引き出しが規制されることで、第１枠体２に対して第２枠体３が引き出された状態が維持される。
【００３３】
第２係合部３５、３５は、本実施形態では、図３に示されるように、第２枠体３の一対の第２側壁３３ａ、３３ｂのそれぞれに対して、略鉛直方向の下方に延びるように設けられている。しかし、第２係合部３５、３５は、第１枠体２に対する第２枠体３の引き出しを規制することができれば、その数や、設けられる位置、形状は特に限定されることはない。たとえば、第２枠体３の第２収縮側側壁３３ｃを係合部とし、第１枠体２に、第２収縮側側壁３３ｃと係合する被係合部を設けても構わない。また、第２係合部３５、３５は、第１枠体２と係合した際に変形しない程度の強度を有していれば、その構成材料は特に限定されることはなく、金属、木材、樹脂などの任意の材料を構成材料として採用することができる。
【００３４】
第３枠体４は、図１および図２に示されるように、第２枠体３の上で、第２枠体３に対して略水平方向に引き出し／押し入れ自在に支持されるように構成されている。そして、伸縮式ソファベッド１は、この第３枠体４の上に設置可能な第３天板７を備えている。第３天板７は、伸縮式ソファベッド１がベッドおよびソファとして使用される際に、使用者を支持するように構成されている。また、第３天板７は、第１天板５および第２天板６とともに略平坦な略水平面を形成するように構成されている。第３天板７は、本実施形態では、畳であり、略鉛直方向の上方に向かって開口する第３枠体４の第３開口部４１を閉鎖するために、着脱自在に構成されている。ただし、第３天板７は、第３枠体４の略鉛直方向の上方に設置されていればよく、第３枠体４に固定されていてもよい。また、第３天板７は、本実施形態では畳であるが、伸縮式ソファベッド１がベッドおよびソファとして使用される際に、使用者を支持し、第１天板５および第２天板６とともに略平坦な略水平面を形成することができれば、本実施形態に限定されることはなく、第１天板５や第２天板６と同じように構成されてもよい。
【００３５】
第３枠体４は、図１および図３に示されるように、第２枠体３の第２摺接部３２、３２に摺接する第３上側枠部４３と、第３上側枠部４３の、第２枠体３から離間する側（伸長側）の端部に設けられる第３脚部４４とを備えている。略水平方向に延びる第３上側枠部４３と、第３上側枠部４３から略鉛直方向の下方に延びる第３脚部４４とは互いに、側面視で、略Ｌ字状に接続されている。第３上側枠部４３は、第２枠体３の第２摺接部３２、３２と第３脚部４４とにより支持される。第３上側枠部４３は、本実施形態では、上述した第３開口部４１と、第３天板７を支持可能な複数の第３支持部４２とを備えている。複数の第３支持部４２上に第３天板７が載置されることで、第３開口部４１が閉鎖される。
【００３６】
第３枠体４の第３上側枠部４３は、図１および図３に示されるように、伸縮式ソファベッド１の伸縮方向Ｄに対して略平行に延びる一対の第３側壁４３ａ、４３ｂと、伸縮式ソファベッド１の伸縮方向Ｄに対して略垂直に延びる第３収縮側側壁４３ｃおよび第３伸長側側壁４３ｄとを備えている。一対の第３側壁４３ａ、４３ｂ、第３収縮側側壁４３ｃおよび第３伸長側側壁４３ｄは、それぞれ床面からの高さが略同一であり、略鉛直方向の上方に開口する第３開口部４１を画定している。また、複数の第３支持部４２は、伸縮方向Ｄに対して略平行に延びるように、第３収縮側側壁４３ｃと第３伸長側側壁４３ｄとの間に架設される。
【００３７】
第３枠体４は、伸縮式ソファベッド１をベッドおよびソファとして使用する際に、使用者を支持できる強度を有していれば、その材質は特に限定されることはなく、木材、樹脂、金属などの任意の材料を構成材料として採用することができる。また、第３枠体４は、第１枠体２や第２枠体３と同じ構成材料であってもよいし、第１枠体２や第２枠体３と異なる構成材料であってもよい。また、第３枠体４は、本実施形態では側面視で略Ｌ字状に形成されているが、第２枠体３に対して略水平方向に引き出し／押し入れ自在であれば、本実施形態に限定されることはなく、たとえば、第３上側枠部４３と第３脚部４４とのなす角度が９０°と異なる角度であってもよい。
【００３８】
また、第３枠体４は、図３に示されるように、第２枠体３に対する引き出しを規制するために、第２枠体３と係合する第３係合部４５、４５を備えている。第３係合部４５、４５は、第３枠体４から略鉛直方向の下方に垂下し、伸縮方向Ｄに沿って延びるように設けられ、第３枠体４が引き出されたときに、第２枠体３（本実施形態では、第２案内部３２ａ、３２ａの伸長側端部）に当接するように構成されている。第３枠体４は、第２枠体３の第２開口部３１が第２天板６（図１参照）に対応する大きさとなる位置において、第３枠体４の第３係合部４５、４５が第２枠体３に当接して、引き出しが規制されるように構成される。したがって、第２枠体３の第２開口部３１を第２天板６によって閉鎖する際に、第２開口部３１が第２天板６に対応する大きさとなる位置に容易に第３枠体４を位置合わせすることができる。そして、第２天板６が、第２摺接部３２、３２に支持されて、第３枠体４の押し入れが規制され、第３係合部４５、４５が、第２枠体３と係合して、第３枠体４の引き出しが規制されることで、第２枠体３に対して第３枠体４が引き出された状態が維持される。
【００３９】
第３係合部４５、４５は、本実施形態では、図３に示されるように、第３枠体４の一対の第３側壁４３ａ、４３ｂのそれぞれに対して、略鉛直方向の下方に延びるように設けられている。しかし、第３係合部４５、４５は、第２枠体３に対する第３枠体４の引き出しを規制することができれば、その数や、設けられる位置、形状は特に限定されることはない。たとえば、第３枠体４の第３収縮側側壁４３ｃを係合部とし、第２枠体３に、第３収縮側側壁４３ｃと係合する被係合部を設けても構わない。また、第３係合部４５、４５は、第２枠体３と係合した際に変形しない程度の強度を有していれば、その構成材料は特に限定されることはなく、金属、木材、樹脂などの任意の材料を構成材料として採用することができる。
【００４０】
以下では、図４および図５も参照しながら、伸縮式ソファベッド１の全体の動作について説明する。ただし、以下で説明する動作は一例にすぎず、本発明の伸縮式ソファベッドは、以下の例に限定されることはない。
【００４１】
本実施形態の伸縮式ソファベッド１は、ベッドとして使用する際には、図１に示されるように、第１枠体２から第２枠体３が略水平方向に沿って引き出され、第２枠体３から第３枠体４が略水平方向に沿って引き出されることで、伸長状態とされる。そして、第１枠体２の第１開口部２１は、第１天板５によって閉鎖され、第２枠体３の第２開口部３１は、第２天板６によって閉鎖され、第３枠体４の第３開口部４１は、第３天板７によって閉鎖される。伸縮式ソファベッド１は、伸長状態において、第１天板５、第２天板６および第３天板７が略平坦な略水平面を形成するように配置されて、ベッドとして使用可能である。したがって、伸縮式ソファベッド１は、寝心地の良いベッドとして使用可能である。このとき、第１天板５および第２天板６がそれぞれ、第１枠体２の第１摺接部２２、２２および第２枠体３の第２摺接部３２、３２のそれぞれに支持されて、第２枠体３および第３枠体４のそれぞれの押し入れが規制され、第２枠体３の第２係合部３５、３５および第３枠体４の第３係合部４５、４５がそれぞれ、第１枠体２および第２枠体３のそれぞれと係合して（図３参照）、第２枠体３および第３枠体４のそれぞれの引き出しが規制されることで、伸縮式ソファベッド１の伸長状態が維持される。
【００４２】
伸縮式ソファベッド１では、第１枠体２、第２枠体３および第３枠体４が互いに略同一の幅を有しているので、第１枠体２と第２枠体３との間、および第２枠体３と第３枠体４との間に、幅方向の段差が生じることがない。したがって、伸縮式ソファベッド１は、幅方向の段差が生じる従来のベッドと比べて、使用者の身体の一部や衣服を引っ掛けてしまう危険性が軽減され、使用者が安全に使用することができる。
【００４３】
伸縮式ソファベッド１は、図４（ａ）〜（ｃ）に示されるように伸長状態から収縮状態に移行させることで、図２に示されるようにソファとして使用することができる。伸縮式ソファベッド１では、伸長状態から収縮状態に移行される前に、第１枠体２および第２枠体３からそれぞれ第１天板５および第２天板６が取り外される。このとき、第１天板５および第２天板６はそれぞれ、奇数の簀子板５１、６１を備える簀子状に形成されているので、中央の簀子板５１、６１を把持することで、バランスよく持ち上げることができ、第１天板５および第２天板６を容易に取り外すことができる。また、第１枠体２は、図３に示されるように、第１開口部２１を介して、または（第２枠体３が第１枠体２に押し入れられた状態で）第１開口部２１および第２開口部３１を介して取り出し可能なように、第１天板５および／または第２天板６を分割して、または折り畳んで収納可能な内部空間Ｓを備えている。したがって、取り外した第１天板５および第２天板６の両方またはいずれかを、内部空間Ｓに収納することができる。第１天板５および／または第２天板６を伸縮式ソファベッド１の内部に収納することができるので、第１天板５および／または第２天板６を収納するための別の空間を確保する必要がなく、伸縮式ソファベッド１が設置される場所を有効に活用することができる。
【００４４】
第１天板５および第２天板６が取り外された伸縮式ソファベッド１は、図４（ａ）〜（ｃ）に示されるように、伸長状態から収縮状態に移行される。ここで、伸縮式ソファベッド１は、第２枠体３に対する第３枠体４の押し入れの操作に連動して、第１枠体２に対して第２枠体３が押し入れされるように構成されている。したがって、第２枠体３に対する第３枠体４の押し入れの操作だけで、伸縮式ソファベッド１の収縮操作を行なうことができる。より具体的には、伸長状態にある伸縮式ソファベッド１（図４（ａ）の状態）において、第２枠体３に対して第３枠体４を（図４（ａ）中矢印の向きに）押し入れいていくと、第３枠体４の第３脚部４４が第２枠体３の第２脚部３４に当接する（図４（ｂ）の状態、図１および図３を適宜参照）。第３枠体４の押し入れ操作を継続すると、第２枠体３が、第３枠体４の押し入れ操作と連動して、（図４（ｂ）中矢印の向きに）第１枠体２に押し入れられる。最終的に、伸縮式ソファベッド１は、第２枠体３の第２脚部３４が第１枠体２の第１側壁２ａ、２ｂの伸長側の端部に当接して、収縮状態とされる（図４（ｃ）の状態）。伸縮式ソファベッド１は、収縮状態（図２の状態）において、第３天板７が略平坦な略水平面を形成するように配置されて、ソファとして使用可能である。
【００４５】
伸縮式ソファベッド１は、逆に、図５（ａ）〜（ｃ）に示されるように収縮状態から伸長状態に移行されることで、上述したようにベッドとして使用することができる。ここで、伸縮式ソファベッド１は、第２枠体３に対する第３枠体４の引き出しの操作に連動して、第１枠体２に対して第２枠体３が引き出しされるように構成されている。したがって、第２枠体３に対する第３枠体４の引き出しの操作だけで、伸縮式ソファベッド１の伸長操作を行なうことができる。より具体的には、収縮状態にある伸縮式ソファベッド１（図５（ａ）の状態）において、第２枠体３に対して第３枠体４を（図５（ａ）中矢印の向きに）引き出していくと、第３枠体４の第３係合部４５、４５が、第２枠体３（第２案内部３２ａ、３２ａの伸長側端部）に当接して（図３も参照）、第２枠体３に対する第３枠体４の引き出しを規制するように第２枠体３と係合する（図５（ｂ）の状態）。第３枠体４の引き出し操作を継続すると、第２枠体３が、第３枠体４の引き出し操作と連動して、（図５（ｂ）中矢印の向きに）第１枠体２から引き出される。最終的に、伸縮式ソファベッド１は、第２枠体３の第２係合部３５、３５が、第１枠体２（第１案内部２２ａ、２２ａの伸長側端部）に当接して（図３も参照）、第１枠体２に対する第２枠体３の引き出しを規制するように第１枠体２と係合することによって、伸長状態とされる（図５（ｃ）の状態）。
【００４６】
伸縮式ソファベッド１は、上述したように、第２枠体３に対する第３枠体４の引き出し／押し入れの操作だけで、伸縮操作が可能である。したがって、使用者は、伸縮式ソファベッド１を容易に伸縮操作することができる。たとえば旅館などにおいて、複数の部屋に複数の伸縮式ソファベッド１が配置される状況では、旅館の従業員は、複数の伸縮式ソファベッド１のすべてについて伸縮操作をする必要があるが、非常に簡単に伸縮操作をすることができるので、作業時間を大幅に短縮することができる。
【００４７】
以上において、３つの枠体（第１枠体２、第２枠体３、第３枠体４）を備えた伸縮式ソファベッド１を例示して、本発明の伸縮ソファベッドを説明した。しかし、本発明の伸縮式ソファベッドは、３つの枠体に限定されることはなく、４つの枠体を備えていてもよいし、５つ以上の枠体を備えていてもよい。たとえば、伸縮式ソファベッド１は、第３枠体４に対して略水平方向に沿って引き出し／押し入れ自在に構成される第４枠体（図示せず）をさらに備えていてもよい。その場合は、第３枠体４が、第４枠体と略同一の幅を有し、第３枠体４の上で、第４枠体を引き出し／押し入れ自在に支持するように構成される。第３枠体４が、略鉛直方向の上方に向かって開口する第３開口部４１を有し、第３天板７が、伸縮式ソファベッド１の伸長状態で第３開口部４１を閉鎖するために、着脱自在に構成される。そして、伸縮式ソファベッド１はさらに、収縮状態および伸長状態において第４枠体の上に設置可能な第４天板（図示せず）を備え、伸縮式ソファベッド１が、伸長状態において、第１天板５、第２天板６、第３天板７および第４天板が略平坦な略水平面を形成するように配置されて、ベッドとして使用可能であり、収縮状態において、第４天板が略平坦な略水平面を形成するように配置されて、ソファとして使用可能である。伸縮式ソファベッド１は、４つの枠体を備えることで、３つの枠体を備えるよりも、より短い収縮状態を実現することができ、身長の低い使用者も快適に使用することができる。
【符号の説明】
【００４８】
１  伸縮式ソファベッド
２  第１枠体
２ａ、２ｂ  第１側壁
２ｃ  第１収縮側側壁
２ｄ  第１伸長側側壁
２１  第１開口部
２２  第１摺接部
２２ａ  第１案内部
２３  支持壁
３  第２枠体
３１  第２開口部
３２  第２摺接部
３２ａ  第２案内部
３３  第２上側枠部
３３ａ、３３ｂ  第２側壁
３３ｃ  第２収縮側側壁
３３ｄ  第２伸長側側壁
３４  第２脚部
３５  第２係合部
４  第３枠体
４１  第３開口部
４２  第３支持部
４３  第３上側枠部
４３ａ、４３ｂ  第３側壁
４３ｃ  第３収縮側側壁
４３ｄ  第３伸長側側壁
４４  第３脚部
４５  第３係合部
５  第１天板
５１  簀子板
５２  第１天板脚部
５３  第１天板係合部
６  第２天板
６１  簀子板
６２  第２天板脚部
７  第３天板
８  ヘッドボード
Ｄ  伸縮方向
Ｓ  内部空間
【図１】
2019072089.tif 000003
【図２】
2019072089.tif 000004
【図３】
2019072089.tif 000005
【図４】
2019072089.tif 000006
【図５】
2019072089.tif 000007